(57)【要約】【課題】移動局が基地局から受けることができる通信サービスをユーザに知らせることを目的とする。【解決手段】報知部と、基地局が提供可能なサービスを示す情報（提供サービス情報）を前記基地局から受信する通信部と、該通信部が前記提供サービス情報を受信すると、当該提供サービス情報を前記通信部から取得して前記報知部に報知させる制御部とを具備する。【選択図】図２
2008277998.tif 000002
【特許請求の範囲】
【請求項１】
報知部と、
基地局が提供可能なサービスを示す情報（提供サービス情報）を前記基地局から受信する通信部と、
該通信部が前記提供サービス情報を受信すると、当該提供サービス情報を前記通信部から取得して前記報知部に報知させる制御部と
を具備することを特徴とする携帯端末。
【請求項２】
前記通信部が通信可能な複数の基地局から提供サービス情報を受信すると、制御部は、提供サービス情報を前記報知部に基地局毎に報知させることを特徴とする請求項１記載の携帯端末。
【請求項３】
基地局の選択指示を受け付ける操作部を備え、
前記制御部は、前記報知部に報知させた提供サービス情報に対して、前記操作部から基地局の選択指示が入力されると、当該選択指示に合致する基地局と通信するように前記通信部を制御することを特徴とする請求項２記載の携帯端末。
【請求項４】
前記サービス利用情報は、パケット通信サービスの提供の可否を示す情報を含むことを特徴とする請求項１〜３のいずれかに記載の携帯端末。
【請求項５】
前記サービス利用情報は、ＰＩＡＦＳ（Personal Handyphone System Internet Access Forum Standard）通信サービスの提供の可否を示す情報を含むことを特徴とする請求項１〜４のいずれかに記載の携帯端末。
【請求項６】
前記サービス利用情報は、発呼規制に関する情報を含むことを特徴とする請求項１〜５のいずれかに記載の携帯端末。
【発明の詳細な説明】
【技術分野】
【０００１】
本発明は、携帯端末に関する。
【背景技術】
【０００２】
下記特許文献１には、移動局が圏内／圏外の表示を正確に行う為の移動通信システムが開示されている。この移動通信システムでは、移動局が前回位置登録された基地局とは異なる基地局のサービスエリアに移動すると、移動先の基地局から圏内／圏外判定を行うための基準電界強度を示す受信可能判定レベルを受信し、その通信可能判定レベルと電波の受信レベルの比較を行い、受信レベルが通信可能判定レベル以上であれば圏内の表示を行い、通信可能判定レベル以下であれば、圏外の表示を速やかに行う。
【特許文献１】特開平９−９３５５号公報
【発明の開示】
【発明が解決しようとする課題】
【０００３】
ところで、上記従来技術は、現在の基地局から受信した受信可能判定レベルに基づいて圏内／圏外の判定を行うので、正確な圏内／圏外をユーザに知らせるものであるが、移動局が基地局から受けることができる通信サービスをユーザに知らせるものではない。
【０００４】
本発明は、上述した事情を鑑みたものであり、移動局が基地局から受けることができる通信サービスをユーザに知らせることを目的とする。
【課題を解決するための手段】
【０００５】
上記目的を達成するために、本発明では、携帯端末に係る第１の解決手段として、
報知部と、
基地局が提供可能なサービスを示す情報（提供サービス情報）を前記基地局から受信する通信部と、
該通信部が前記提供サービス情報を受信すると、当該提供サービス情報を前記通信部から取得して前記報知部に報知させる制御部と
を具備するという手段を採用する。
【０００６】
本発明では、携帯端末に係る第２の解決手段として、上記第１の解決手段において、
前記通信部が通信可能な複数の基地局から提供サービス情報を受信すると、制御部は、提供サービス情報を前記報知部に基地局毎に報知させるという手段を採用する。
【０００７】
本発明では、携帯端末に係る第３の解決手段として、上記第２の解決手段において、
基地局の選択指示を受け付ける操作部をもさらに備え、
前記制御部は、前記報知部に報知させた提供サービス情報に対して、前記操作部から基地局の選択指示が入力されると、当該選択指示に合致する基地局と通信するように前記通信部を制御するという手段を採用する。
【０００８】
本発明では、携帯端末に係る第４の解決手段として、上記第１〜第３のいずれかの解決手段において、
前記サービス利用情報は、パケット通信サービスの提供の可否を示す情報を含むという手段を採用する。
【０００９】
本発明では、携帯端末に係る第５の解決手段として、上記第１〜第４のいずれかの解決手段において、
前記サービス利用情報は、ＰＩＡＦＳ（Personal Handyphone System Internet Access Forum Standard）通信サービスの提供の可否を示す情報を含むという手段を採用する。
【００１０】
本発明では、携帯端末に係る第６の解決手段として、上記第１〜第５のいずれかの解決手段において、
前記サービス利用情報は、発呼規制に関する情報を含むという手段を採用する。
【発明の効果】
【００１１】
本発明によれば、携帯端末が、基地局から受信する提供サービス情報に基づいた報知を行うことにより、ユーザに基地局の提供可能なサービスを伝えることが出来る。また、携帯端末は、複数の基地局からも提供サービス情報を受信することが可能であり、基地局ごとの提供サービスを報知し、ユーザに選択させるため、ユーザは携帯端末の使用に適した基地局と通信することが可能となる。
【発明を実施するための最良の形態】
【００１２】
以下、図面を参照して、本発明の一実施形態について説明する。本実施形態は、携帯端末の１つであるＰＨＳ端末に関する。
【００１３】
本実施形態におけるＰＨＳ端末Ａの外観を、図1の本実施形態に係るＰＨＳ端末Ａの外観を示す斜視図を用いて説明する。
本ＰＨＳ端末Ａは、図１の外観の斜視図に示すように、表示側本体１と操作側本体２は、互いに同じ長さ及び幅を有すると共にそれぞれ所定の厚さを有し、互いの長さ方向の一端部をヒンジ構造３によって連結されている。表示部側本体１は、表示側筐体４の表面に表示部（報知部）５がはめ込まれ、受話口６が配設され、また、操作側本体２は、各種電子部品を収納した操作側筐体７の表面に操作部８が嵌め込まれ送話口９が配設されている。
【００１４】
次にＰＨＳ端末Ａの要部機能構成を、図２に示す本実施形態に係るＰＨＳ端末Ａの機能ブロック図を用いて説明する。
ＰＨＳ端末Ａの要部機能は、図２に示すように、通信部１０、操作部８、表示部５及び制御部１１から構成される。
【００１５】
通信部１０は、制御部１１による制御の下に基地局（図示略）と各種の制御信号やデータ信号の送受信を行うと共に、受信情報を制御部１１に出力する。基地局がエリア内の各ＰＨＳ端末に送信する各種の制御信号には、基地局が各ＰＨＳ端末に提供可能な通信サービスを示す情報（提供サービス情報）を含むものがある。このような提供サービス情報は、より具体的にはパケット通信サービスが提供可能か否か、あるいは/及びＰＩＡＦＳ（Personal Handyphone System Internet Access Forum Standard）通信サービスが提供可能か否かを示すものである。通信部１０は、このような提供サービス情報を含む制御信号を基地局から受信すると、当該提供サービス情報を制御部１１に出力する。
【００１６】
操作部８は、電源キー、テンキー、各種ファンクションキー等の各種操作キーから構成されており、これらの操作キーに対するユーザの操作指示を制御部１１に出力する。この操作部８が受け付ける操作指示には、複数の基地局から提供サービス情報を受信した場合における基地局の選択指示が含まれる。
表示部５は、例えば液晶モニタまたは有機ＥＬモニタ等であり、制御部１１から入力される制御信号に基づいて画像や文字からなる各種画面を表示する。この表示部５に表示される画面の１つには、複数の基地局から提供サービス情報を受信した場合における提供サービス情報の一覧表示がある。
【００１７】
制御部１１は、ＣＰＵ（Central Processing Unit）、ＲＯＭ（Read Only Memory）及びＲＡＭ（Random Access Memory）から構成される内部メモリ並びに上記通信部１０、操作部８及び表示部５と信号の入出力をそれぞれ行うインタフェース回路等から構成されており、上記ＲＯＭに記憶された制御プログラム及び上記提供サービス情報等に基づいてＰＨＳ端末Ａの全体動作を制御する。この制御部１１の制御処理の詳細については、以下にＰＨＳ端末Ａの動作として説明する。
【００１８】
次に、上記構成のＰＨＳ端末Ａ動作について、図３に示すフローチャートを参照して詳しく説明する。
制御部１１は、通信部１０が基地局から制御信号を受信したか否かを判定し（ステップＳ１）、通信部１０が制御信号を受信していないと判定した場合（ＮＯ）は、通信部１０が制御信号を受信するまで待機する。制御部１１が、通信部１０が制御信号を受信したと判定した場合（ＹＥＳ）、制御信号に含まれる提供サービス情報に基づいて、パケット通信サービスやＰＩＡＦＳ通信サービス等の基地局が提供可能なサービスを示す表示を表示部５に行うように指示を行い（ステップＳ２）、通信部１０には位置登録を行うための信号を当該基地局に出力するように指示を行う。
【００１９】
そして、制御部１１は、通信部１０がステップ１で受信した制御信号を出力する基地局以外の通信可能な基地局からも制御信号を受け取っているか否かを判定し（ステップＳ３）、制御信号を受け取っていないと判定した場合（ＮＯ）、ステップＳ１で受信した制御信号を出力する基地局の提供可能なサービスを示す表示を表示部５に行わせた状態のままとして、制御信号を受け取っていると判定した場合（ＹＥＳ）、制御信号の提供サービス情報に基づき、通信部１０が受信した制御信号を出力する基地局ごとの電界強度、及び基地局が提供可能なパケット通信サービス、ＰＩＡＦＳ通信サービスに関する一覧表示を表示部５に行わせる（ステップＳ４）。
【００２０】
図４に上記一覧表示の一例を示す。一覧表示には、受信電界強度の強さの順位、パケット通信サービス及びＰＩＡＦＳ通信が提供可能か否か、を基地局ごとに一覧形式で表示させ、ＰＨＳ端末Ａを接続させる基地局をユーザに選択させるための表示である。例えば、ＰＨＳ端末Ａが基地局コードＡに接続している場合でも、パケット通信サービス、及びＰＩＡＦＳ通信サービスの提供が共に可能である基地局コードＢをユーザが選択し、ＰＨＳ端末Ａを基地局コードＢに接続させることが出来る。
【００２１】
制御部１１は、操作部８から一覧表示に表示された基地局の中から接続を行う基地局を選択する選択指示を受けたか否かを判定し（ステップＳ５）、操作部８から選択指示を受けたと判定した場合（ＹＥＳ）は、通信部１０に位置登録を行うための信号を選択された基地局に出力するように指示を行い、選択された基地局の制御信号に含まれる提供サービス情報に基づいて、選択された基地局が提供可能なサービスを示す表示を表示部５に行わせ、（ステップＳ６）、操作部８から選択指示受けていないと判定した場合（ＮＯ）は、ステップＳ１で受信した制御信号を出力する基地局が提供可能なサービスを表示部５に表示させた状態のままにする。
【００２２】
以上説明したように、本実施形態によれば、ＰＨＳ端末Ａは基地局が出力する制御信号を受け取り、制御信号に含まれる提供サービス情報に基づき、基地局が提供可能なサービスを示す表示をおこなうことで、接続している基地局でパケット通信サービス、ＰＩＡＦＳ通信サービスが利用出来るか否かをユーザに伝える事が出来る。また、通信可能な基地局ごとの電界強度、及び基地局が提供可能なサービスを一覧表示することで、ＰＨＳ端末Ａの利用に適した基地局をユーザが選択することが可能となる。
【００２３】
以上、本発明の一実施形態について説明したが、本発明は上記実施形態に制限されることなく、例えば以下のような変形が考えられる。
上記実施形態では、提供サービス情報にパケット通信サービスとＰＩＡＦＳ通信サービスが含まれ、そのパケット通信やＰＩＡＦＳ通信のサービスが利用可能であることを示す表示を行うことを例示して説明したが、本発明はこれに限定されない。
例えば、パケット通信サービスやＰＩＡＦＳ通信サービス以外に災害、地震及び年末、年始等の混雑時に基地局から出力される発呼規制に関する情報を本実施形態に係るＰＨＳ端末Ａが受け取った場合には、発呼規制を示す表示を行わせてもよい。
【図面の簡単な説明】
【００２４】
【図１】本発明の一実施形態に係るＰＨＳ端末Ａの外観を示す斜視図である。
【図２】本発明の一実施形態に係るＰＨＳ端末Ａの機能ブロック図である。。
【図３】本発明の一実施形態に係るＰＨＳ端末Ａの動作のフローチャートである。
【図４】本発明の一実施形態に係るＰＨＳ端末Ａの表示部５に表示される基地局ごとの電界強度及び提供サービスを示す一覧表示の一例である。
【符号の説明】
【００２５】
Ａ…ＰＨＳ端末、１…表示側本体、２…操作側本体、３…ヒンジ構造、４…表示側筐体、５…表示部（報知部）、６…受話口、７…操作側筐体、８…操作部、９…送話口、１０…通信部、１１…制御部
【図１】
2008277998.tif 000003
【図２】
2008277998.tif 000004
【図３】
2008277998.tif 000005
【図４】
2008277998.tif 000006